(57)【特許請求の範囲】
【請求項１】
洗濯対象物である袋状の掛布団カバーに対し、洗濯機投入前の事前処理を施す洗濯前処理装置の使用方法であって、前記洗濯前処理装置が、
前記洗濯対象物と該洗濯対象物に付着している塵とを分離する分離部と、
手前側に広がったラッパ型形状を成す吸込口を一端に備え、前記吸込口から投入される前記洗濯対象物を他端で連結される前記分離部に移送する第１移送管と、
前記分離部に連結され、前記吸込口から前記分離部の方向へ前記第１移送管内の空気を流すために該空気を吸引する空気吸引機と、を有し、
前記分離部が、前記空気吸引機との連結位置に、前記洗濯対象物を通過させないが前記塵を通過させる程度の大きさの穴を複数備える仕切り部材を有する洗濯前処理装置の使用方法であって、
作業員が、裏向きになっている前記洗濯対象物の内奥側の角を持った状態で前記吸込口において前記洗濯対象物を吸引させることによって前記洗濯対象物を表向きに戻すと共に前記洗濯対象物に付着した塵を前記吸込口内に吸い込ませ、表向きになった前記洗濯対象物から手を放すことによって前記洗濯対象物を前記吸込口内に投入し、
前記分離部において、前記第１移送管内を移送されてきた前記洗濯対象物が重力に従い下方に落下し、前記第１移送管内を移送されてきた前記塵が前記空気吸引機が吸引する空気と共に前記仕切り部材を通過することによって、前記洗濯対象物と前記塵とが分離されることを特徴とする洗濯前処理装置の使用方法。
【請求項２】
前記洗濯前処理装置において、
前記第１移送管の他端開口部が、下向きに形成され、
前記仕切り部材が、前記第１移送管の他端開口部と同じ高さより上に配置されることを特徴とする請求項１に記載の洗濯前処理装置の使用方法。
【請求項３】
前記洗濯前処理装置において、
前記吸込口の形成する面が、前記作業員が作業を行う床に対し略垂直となるように配置されることを特徴とする請求項１又は２に記載の洗濯前処理装置の使用方法。
【請求項４】
前記洗濯前処理装置が、前記分離部から前記仕切り部材を通過した前記塵を集めて保管する塵保管部まで、前記空気吸引機から排出される空気を利用して前記塵を移送する第２移送管を有することを特徴とする請求項１乃至３の何れか一に記載の洗濯前処理装置の使用方法。
【請求項５】
前記洗濯前処理装置が、前記分離部に連結され、前記分離部において下方に落下した前記洗濯対象物を保管する洗濯物保管部を有することを特徴とする請求項１乃至４の何れか一に記載の洗濯前処理装置の使用方法。
【発明の詳細な説明】
【技術分野】
【０００１】
業務用洗濯機への投入前に、洗濯対象物に対し所定の処理を施す装置の技術に関する。
【背景技術】
【０００２】
使用済みの袋状の掛布団カバー（包布、デュベカバー（Duvet Cover）等）は、ホテル等の宿泊施設から大量に排出され、それらは業務用クリーニング工場へと持ち込まれる。そして、それら使用済みの掛布団カバーは、クリーニング工場においてクリーニング処理が施された後、宿泊施設に納品され再び使用される。
【０００３】
図１のＳ２０乃至Ｓ１１０で示すように、業務用クリーニング工場におけるクリーニング処理は、洗濯、脱水、乾燥及び仕上等一連の工程に沿って行われ、クリーニング処理済みの商品は宿泊施設へ向けて出荷される。
【０００４】
なお、袋状の掛布団カバーは、宿泊施設から搬出された段階で、裏向きのものが多数含まれ、また、表向きのものと裏向きのものとが入り混じった状態であるが、これら使用済みの掛布団カバーは、何の前処理もなくそのまま洗濯機に投入される。
【発明の概要】
【発明が解決しようとする課題】
【０００５】
しかしながら、上記従来技術においては、仕上機に洗濯対象物を投入するための機械（投入機）の前で、人手によって裏向きかつ濡れた（湿った又は完全に乾燥していない）状態の洗濯対象物を表向きに修正する作業が必要であり、当該作業効率の悪さがクリーニング処理全体の効率を低下させるという問題点があった。
【０００６】
また、上記従来技術においては、投入機前において、洗濯対象物である袋状の掛布団カバーは角が立っていない状態であるため、投入機の前で人手によって当該角を立てる作業が必要であり、当該作業効率の悪さがクリーニング処理全体の効率を低下させるという問題点もあった。
【０００７】
さらに、上記従来技術においては、洗濯対象物に塵が付着したまま（塵を取り除くための独立した工程無しに）クリーニング処理が適用されるため、画像検査機を使って行われる塵の検出検査の結果が悪くなるという問題点があった。
【０００８】
そこで本発明では、上記従来技術の問題点に鑑み、袋状の掛布団カバーに係るクリーニング処理工程の効率を向上させる洗濯前処理装置の使用方法を提案することを目的とする。
【課題を解決するための手段】
【０００９】
開示する洗濯前処理装置の使用方法の一形態は、洗濯対象物である袋状の掛布団カバーに対し、洗濯機投入前の事前処理を施す洗濯前処理装置の使用方法であって、前記洗濯前処理装置が、前記洗濯対象物と該洗濯対象物に付着している塵とを分離する分離部と、手前側に広がったラッパ型形状を成す吸込口を一端に備え、前記吸込口から投入される前記洗濯対象物を他端で連結される前記分離部に移送する第１移送管と、前記分離部に連結され、前記吸込口から前記分離部の方向へ前記第１移送管内の空気を流すために該空気を吸引する空気吸引機と、を有し、前記分離部が、前記空気吸引機との連結位置に、前記洗濯対象物を通過させないが前記塵を通過させる程度の大きさの穴を複数備える仕切り部材を有する洗濯前処理装置の使用方法であって、作業員が、裏向きになっている前記洗濯対象物の内奥側の角を持った状態で前記吸込口において前記洗濯対象物を吸引させることによって前記洗濯対象物を表向きに戻すと共に前記洗濯対象物に付着した塵を前記吸込口内に吸い込ませ、表向きになった前記洗濯対象物から手を放すことによって前記洗濯対象物を前記吸込口内に投入し、前記分離部において、前記第１移送管内を移送されてきた前記洗濯対象物が重力に従い下方に落下し、前記第１移送管内を移送されてきた前記塵が前記空気吸引機が吸引する空気と共に前記仕切り部材を通過することによって、前記洗濯対象物と前記塵とが分離されることを特徴とする。
【発明の効果】
【００１０】
開示する洗濯前処理装置の使用方法は、袋状の掛布団カバーに係るクリーニング処理工程の効率を向上させる。
【図面の簡単な説明】
【００１１】
【図１】本実施の形態に係る洗濯前処理装置の役割を説明する図である。
【図２】本実施の形態に係る洗濯前処理装置のブロック図である。
【図３】本実施の形態に係る洗濯前処理装置の側面方向から見た模式図である。
【図４】本実施の形態に係る第１移送管を正面方向から示した図である。
【図５】本実施の形態に係る分離部及びそれに関わる部位について説明する図である。
【図６】本実施の形態に係る仕切り部材について説明する図である。
【図７】本実施の形態に係る洗濯前処理装置の使用方法を説明するフローチャートである。
【発明を実施するための形態】
【００１２】
図面を参照しながら、本発明を実施するための形態について説明する。
（本実施の形態に係る洗濯前処理装置の構造）
【００１３】
図１乃至６を用いて、本実施の形態に係る洗濯前処理装置１の構造について説明する。図１は、クリーニング処理工程全体の中で洗濯前処理装置１による処理が適用される順序（位置）を説明する図である。図２は、洗濯前処理装置１のブロック図であり、図３は、洗濯前処理装置１を側面方向から示した図である。
【００１４】
図１で示すように、従来、所定の洗濯対象物に対し適用されるクリーニング処理工程は、洗濯工程（Ｓ２０）、脱水工程（Ｓ３０），乾燥工程（Ｓ４０）、捌き工程（Ｓ５０）、仕上機投入工程（Ｓ６０）、仕上工程（Ｓ７０）、画像検査工程（Ｓ８０）、畳み工程（Ｓ９０）、集合工程（Ｓ１００）、結束工程（Ｓ１１０）で構成されていた。
【００１５】
洗濯前処理装置１は、洗濯工程（Ｓ２０）に投入される前の洗濯対象物に対し、洗濯前処理工程（Ｓ１０）を適用する装置である。また、洗濯前処理装置１は、袋状の掛布団カバーである包布（特に、全包布）、デュベカバーを処理対象とする。従って、洗濯前処理装置１が行う洗濯前処理工程（Ｓ１０）を含むクリーニング処理工程における洗濯対象物２０は、袋状の掛布団カバーである包布（特に、全包布）、デュベカバーである。
図２で示すように、洗濯前処理装置１は、第１移送管２、分離部８、空気吸引機１２、第２移送管１４、塵保管部１６、洗濯物保管部１８を有する。
【００１６】
第１移送管２は、作業員２４が作業を行う側（一端）に吸込口４、分離部６との連結部位（他端）に他端開口部６を有する。図３、４で示すように、吸込口４は、作業員２４側（手前側）に広がったラッパ型形状を成しており、開口部の成す面は、作業員２４が立って作業を行う床と略垂直に配置される。
【００１７】
他端開口部６は、第１移送管２の端部である。図３で示すように、他端開口部６は、下方に配置される洗濯物保管部１８へスムーズに洗濯対象物２０が移動するように、その開口部の成す面が下向きに形成されることが好適であるが、その態様は地面に垂直となるように形成する場合等、特に限定されない。
【００１８】
なお、空気吸引機１２が分離部８を介して第１移送管２内の空気を吸引しているため、第１移送管２内では吸込口４から他端開口部６の方向へ空気が流れている。洗濯対象物２０は、吸込口４で投入された（吸い込まれた）後、他端開口部６まで、その空気の流れに従って移送される。
【００１９】
分離部８は、第１移送管２内を移送されてきた洗濯対象物２０と洗濯対象物２０に付着していた塵２２とを分離する部位である。図５で示すように、分離部８は、第１移送管２と連結される。
【００２０】
図３で示すように、分離部８は、仕切り部材１０を有する。図６で示すように、仕切り部材１０は、洗濯対象物２０は通過させないが、塵２２は通過させる程度の大きさの穴を多数備える。図３で示すように、第１移送管２内を移送されてきた塵２２は、空気吸引機１２が吸引する空気と共に仕切り部材１０が備える穴を通過した後、第２移送管１４へと移送される。一方、第１移送管２内を移送されてきた洗濯対象物２０は、他端開口部６から分離部８へ出た後、重力に従って下方に落下していく。このような機構によって、洗濯対象物２０と塵２２とは分離される。
【００２１】
図３で示すように、仕切り部材１０は、他端開口部６と同じ高さか、又はそれよりも高い位置に配置されることが好適である。このように仕切り部材１０が配置されることによって、洗濯対象物２０と塵２２とが首尾よく分離されるようになる。
【００２２】
空気吸引機１２は、分離部８に連結され、分離部８を介して第１移送管２内の空気を吸引する装置であり、一般的なブロワ（送風機、圧縮機）によって構成される。空気吸引機１２による空気吸引によって、第１移送管２内の空気は吸込口４から他端開口部６の方へ流れる。
【００２３】
第２移送管１４は、空気吸引機１２に連結されている。第２移送管１４は、空気吸引機１２が排出する空気の力（流れ）に従って、仕切り部材１０を通過してきた塵２２を塵保管部１６まで移送する。なお、空気吸引機１２が第２移送管１４内に送り込む空気は、空気吸引機１２が第１移送管２内から吸引した空気である。
塵保管部１６は、第２移送管１４と連結され、第２移送管１４内を移送された塵２２を保管する部位である。
【００２４】
洗濯物保管部１８は、分離部８と連結され、分離部８へ出た後、下方に落下した洗濯対象物２０を保管する部位である。洗濯物保管部１８に収納された洗濯対象物２０には、次の洗濯処理工程（Ｓ２０）以降の各工程が適用される。
上記のような構成で、洗濯前処理装置１は、袋状の掛布団カバー２０に係るクリーニング処理工程の効率を向上させる。
（本実施の形態に係る洗濯前処理装置の使用方法）
【００２５】
図７を用いて、洗濯前処理装置１の使用方法について説明する。図７は、洗濯前処理装置１を使用した洗濯前処理の流れを示すフローチャートである。ここでは、使用済みであり、袋状の掛布団カバーである包布（特に、全包布）又はデュベカバーを洗濯前処理装置１の処理適用対象（洗濯対象物２０）として説明を行う。
【００２６】
Ｓ２１０において作業員２４は、表向きの洗濯対象物２０を裏返す作業を行う。洗濯対象物２０が裏向きとなっている場合、作業員２４は、Ｓ２１０における作業を行わなくて良い。このようにすることで、掃除機で吸い取るように、洗濯対象物２０の裏側に付着する塵２２を吸込口４から吸引させることができる。
Ｓ２２０において作業員２４は、裏向きとなっている洗濯対象物２０の内奥側の両隅（両角）を手（指）で摘み、洗濯対象物２０を吸込口４に当てる。
【００２７】
Ｓ２３０において作業員２４は、洗濯対象物２０裏面を吸込口４に吸い込ませることによって、洗濯対象物２０を表向きに修正する（ひっくり返す）。このようにすることで洗濯対象物２０は、表向きの状態で洗濯工程（Ｓ２０）以降の各工程が適用されるため、仕上機に洗濯対象物２０を投入するための機械（投入機）の前で、人手によって洗濯対象物２０を表向きに修正する作業が不要となり、作業効率を向上させる。
【００２８】
またＳ２３０の作業において、掃除機で吸い取るように、洗濯対象物２０の裏側に付着する塵２２を吸込口４から吸引させることができる。このようにすることで洗濯対象物２０は、裏側に付着していた塵２２が除去された状態で洗濯工程（Ｓ２０）以降の各工程が適用されるため、画像検査機によって行われる付着塵を検出する検査（Ｓ８０）の結果を向上させる。なお、洗濯対象物２０の表面に付着した塵は、後段の洗濯処理工程（Ｓ２０）によって取り除かれる。
【００２９】
さらには、上記のようにすることで、洗濯対象物２０の裏側に付着した塵２２を除去した後に洗濯処理工程（Ｓ２０）を適用することができるため、洗濯機に投入する洗剤の量を減らすことにも寄与している。
【００３０】
また、両角を持ったまま表向きに修正された洗濯対象物２０は、角が立った状態となっている。このように洗濯対象物２０は、角が立っている状態で洗濯工程（Ｓ２０）以降の各工程が適用されるため、投入機の前で人手によって角を立てるという効率の悪い作業を行う必要がない。
【００３１】
Ｓ２４０において作業員２４は、洗濯対象物２０が表向きに修正されたことを確認した後、洗濯対象物２０から手を放し、洗濯対象物２０を吸込口４内に吸い込ませる。
Ｓ２５０において、吸込口４から投入された洗濯対象物２０及び塵２２は、第１移送管２内を分離部８まで移送される。
【００３２】
Ｓ２６０において、第１移送管２内を移送されてきた塵２２は、空気吸引機１２が吸引する空気と共に仕切り部材１０が備える穴を通過した後、第２移送管１４へと移送される。一方、第１移送管２内を移送されてきた洗濯対象物２０は、他端開口部６から分離部８へと移動した後、重力に従って下方に落下していく。このような機構によって、洗濯対象物２０と塵２２とは分離される。
【００３３】
Ｓ２７０において、洗濯対象物２０は、他端開口部６から分離部８へ出た後、下方に落下し、洗濯物保管部１８へ収納される。洗濯物保管部１８に収納された洗濯対象物２０には、洗濯工程（Ｓ２０）以降の各工程が適用される。
Ｓ２８０において、塵２２は、第２移送管１４内を移送され、塵保管部１６に収納される。
【００３４】
上記のような洗濯前処理装置１による洗濯前処理を洗濯対象物２０に適用することによって、袋状の掛布団カバー２０に係るクリーニング処理工程の効率を向上させることができる。
【００３５】
以上、本発明の実施の形態について詳述したが、本発明は係る特定の実施の形態に限定されるものではなく、特許請求の範囲に記載された本発明の要旨の範囲において、種々の変形・変更が可能である。
【符号の説明】
【００３６】
１    洗濯前処理装置
２    第１移送管
４    第１移送管の一端（吸込口）
６    第１移送管の他端
８    分離部
１０  仕切り部材
１２  空気吸引機
１４  第２移送管
１６  塵保管部
１８  洗濯物保管部
２０  洗濯対象物
２２  塵
２４  作業員
【要約】      （修正有）【課題】洗濯前処理装置は、袋状の掛布団カバーに係るクリーニング処理工程の効率を向上させる。【解決手段】洗濯前処理装置１は、袋状の掛布団カバーに対し、洗濯機投入前の事前処理を施す洗濯前処理装置であって、洗濯対象物と塵とを分離するための小さな穴を備える仕切り部材１０を有する分離部８と、吸込口４を一端に備え、他端６で分離部に連結される第１移送管２と、分離部に連結され、吸込口から分離部の方向へ第１移送管内の空気を吸引する空気吸引機１２と、を有し、裏向きカバーの内奥側の角を持った状態で吸込口でカバーを吸引させて表向きに戻すと共に付着した塵を吸い込ませた後、手を放してカバーを吸込口内に投入し、分離部において、移送されてきたカバーが重力に従い下方に落下し、塵が空気吸引機が吸引する空気と共に仕切り部材を通過し、カバーと塵とが分離される。【選択図】図３【図１】
0006039874.tif 000002
【図２】
0006039874.tif 000003
【図３】
0006039874.tif 000004
【図４】
0006039874.tif 000005
【図５】
0006039874.tif 000006
【図６】
0006039874.tif 000007
【図７】
0006039874.tif 000008